(57)【要約】【課題】棚を吹出口の高さに対応させ易く、棚ダクト部材を吹出口に一致させる作業が容易なショーケースを提供すること。【解決手段】陳列室６が設けられた本体３と、本体３に高さを変更可能に支持される棚１１と、を備えるショーケース１において、冷気が流れる冷気ダクトと陳列室６とを仕切る仕切板４と、仕切板４に設けられ、冷気ダクトの冷気を陳列室６内に吹き出させる吹出口５１と、棚１１に設けられ、吹出口５１から吹き出した冷気を棚１１に沿って案内可能な棚ダクト部材４１と、を備え、本体３には、棚１１に対向可能な位置に吹出口５１の位置を示す本体側マーク５３が設けられ、棚１１には、本体側マーク５３に対応させた状態で棚ダクト部材４１を吹出口５１に一致させる棚側マーク５４が設けられている。【選択図】図５
2020124294.tif 000002
【特許請求の範囲】
【請求項１】
陳列室が設けられた本体と、前記本体に高さを変更可能に支持される棚と、を備えるショーケースにおいて、
冷気が流れる冷気ダクトと前記陳列室とを仕切る仕切板と、
前記仕切板に設けられ、前記冷気ダクトの冷気を前記陳列室内に吹き出させる吹出口と、
前記棚に設けられ、前記吹出口から吹き出した冷気を前記棚に沿って案内可能な棚ダクト部材と、を備え、
前記本体には、前記棚に対向可能な位置に前記吹出口の位置を示す本体側マークが設けられ、
前記棚には、前記本体側マークに対応させた状態で前記棚ダクト部材を前記吹出口に一致させる棚側マークが設けられている、
ことを特徴とするショーケース。
【請求項２】
前記仕切板に形成された開口と、
前記開口の幅方向に延在して前記開口を開閉可能な複数の開閉部材と、を備え、
前記複数の開閉部材は、前記開口の高さ方向に並んで配置され、
前記吹出口は、一の前記開閉部材が前記開口の一部を開放することにより形成され、
前記本体側マークは、前記開閉部材が形成する前記吹出口毎に設けられている、
ことを特徴とする請求項１に記載のショーケース。
【請求項３】
前記棚ダクト部材は、前記吹出口に挿入され前記冷気ダクトを閉塞するダンパー部材を備える、
ことを特徴とする請求項１又は２に記載のショーケース。
【請求項４】
前記棚ダクト部材は、前記ダンパー部材が前記吹出口に出し入れされる方向に、前記棚に対してスライド可能に支持される、
ことを特徴とする請求項３に記載のショーケース。
【発明の詳細な説明】
【技術分野】
【０００１】
本発明は、棚ダクト部材により冷気の循環する領域を画定し、陳列室内を低温領域と高温領域とに、あるいは低温領域と常温領域とに区分けして使用できるショーケースに関する。
【背景技術】
【０００２】
従来、この種のショーケースでは、冷気ダクトの途中にショートカット用の吹出口が設けられており、吹出口からの冷気を棚の棚ダクト部材に案内することにより、陳列室内を、冷気が循環する低温領域と、冷気が循環しない高温領域とに区分けしている（例えば、特許文献１参照）。棚ダクト部材は棚に設けられているため、棚を、吹出口の高さに対応させて設置することにより、棚に設けられる棚ダクト部材が吹出口の高さに合わせられる。棚は、吹出口に対応しない高さにも設置可能であり、棚ダクト部材を吹出口に一致させる場合には、作業者は、吹出口の高さに合わせて棚を設置する必要がある。
【先行技術文献】
【特許文献】
【０００３】
【特許文献１】特開２０１５−２１５１３１号公報
【発明の概要】
【発明が解決しようとする課題】
【０００４】
しかしながら、一般に、棚の高さは細かく設置可能であり、棚の設置可能な高さ方向の位置は多い。よって、作業者は、吹出口からずれた高さに棚を設置してしまう場合がある。特に、吹出口が、棚が支持される部分から離間している場合には、錯覚などによって、吹出口からずれた高さに棚を設置してしまい易く、棚ダクト部材を吹出口に一致させるために棚の設置作業を繰り返す場合もあった。このため、従来は、棚ダクト部材の設置作業が煩雑になり易いという課題があった。
【０００５】
本発明は、前記従来の課題を解決するもので、棚を吹出口の高さに対応させ易く、棚ダクト部材を吹出口に一致させる作業が容易なショーケースを提供することを目的とする。
【課題を解決するための手段】
【０００６】
前記目的を達成するため、本発明のショーケースは、陳列室が設けられた本体と、前記本体に高さを変更可能に支持される棚と、を備えるショーケースにおいて、前記本体には、前記棚に対向可能な位置に吹出口の位置を示す本体側マークが設けられ、前記棚には、前記本体側マークに対応させた状態で棚ダクト部材を前記吹出口に一致させる棚側マークが設けられている、ことを特徴とする。
【０００７】
これによれば、棚が支持される本体に吹出口の位置を示す本体側マークが設けられているため、棚の設置作業時に本体側マークが認識され易いうえに、その本体側マークに棚側マークを対応させることで棚ダクト部材を吹出口に一致させることができる。
【発明の効果】
【０００８】
本発明のショーケースは、棚が支持される本体に吹出口の位置を示す本体側マークが設けられているため、棚の設置作業時に本体側マークが認識され易いうえに、その本体側マークに棚側マークを対応させることで棚ダクト部材を吹出口に一致させることができる。よって、棚ダクト部材を吹出口の高さに対応させる作業を容易にすることができる。
【図面の簡単な説明】
【０００９】
【図１】本発明の実施の形態におけるショーケースの正面図
【図２】図１のＩＩ−ＩＩ線断面図
【図３】図１の要部拡大図
【図４】図２の要部拡大図
【図５】棚のブラケットと支柱の係合部分を下方から見た要部斜視図
【発明を実施するための形態】
【００１０】
第１の発明は、陳列室が設けられた本体と、前記本体に高さを変更可能に支持される棚と、を備えるショーケースにおいて、冷気が流れる冷気ダクトと前記陳列室とを仕切る仕切板と、前記仕切板に設けられ、前記冷気ダクトの冷気を前記陳列室内に吹き出させる吹出口と、前記棚に設けられ、前記吹出口から吹き出した冷気を前記棚に沿って案内可能な棚ダクト部材と、を備え、前記本体には、前記棚に対向可能な位置に前記吹出口の位置を示す本体側マークが設けられ、前記棚には、前記本体側マークに対応させた状態で前記棚ダクト部材を前記吹出口に一致させる棚側マークが設けられている。
これによれば、棚が支持される本体に吹出口の位置を示す本体側マークが設けられているため、棚の設置作業時に本体側マークが認識され易いうえに、その本体側マークに棚側マークを対応させることで棚ダクト部材を吹出口に一致させることができる。よって、棚ダクト部材を吹出口の高さに対応させる作業を容易にすることができる。
【００１１】
第２の発明は、特に、第１の発明のショーケースにおいて、前記仕切板に形成された開口と、前記開口の幅方向に延在して前記開口を開閉可能な複数の開閉部材と、を備え、前記複数の開閉部材は、前記開口の高さ方向に並んで配置され、前記吹出口は、一の前記開閉部材が前記開口の一部を開放することにより形成され、前記本体側マークは、前記開閉部材が形成する前記吹出口毎に設けられている。
これによれば、吹出口が複数ある場合においても、全ての吹出口に棚ダクト部材を対応させ易くできる。
【００１２】
第３の発明は、特に、第１の発明または第２の発明のショーケースにおいて、前記棚ダクト部材は、前記吹出口に挿入され前記冷気ダクトを閉塞するダンパー部材を備える。
これによれば、ダンパー部材を介して棚ダクト部材と吹出口とを接続することができる。
【００１３】
第４の発明は、特に、第３の発明のショーケースにおいて、前記棚ダクト部材は、前記ダンパー部材が前記吹出口に出し入れされる方向に、前記棚に対してスライド可能に支持される。
これによれば、棚ダクト部材をスライドさせるという簡易な作業で、ダンパー部材を吹出口に挿入し、ダンパー部材を介して棚ダクト部材と吹出口とを接続することができる。
【００１４】
以下、本発明の実施の形態について、図面を参照して説明する。なお、本実施の形態によって本発明が限定されるものではない。
図１は、本発明の実施の形態におけるショーケース１の正面図である。図２は、図１のＩＩ−ＩＩ線断面図である。
ショーケース１は、スーパーマーケットやコンビニエンスストア等の店舗内に据え付けられるオープンショーケースである。ショーケース１は、前面に開口する断面略コ字状の断熱壁２と、据え付け現場において断熱壁２の幅方向外側に取り付けられる断熱性の側板（不図示）と、によって本体３が構成される。
【００１５】
断熱壁２の囲み形状内側には、背面から天面に渡って仕切板４が配設される。また、仕切板４の下端には、前方に延在するデッキパン５が設けられる。仕切板４、デッキパン５、不図示の側板により、前面に開口する陳列室６が形成されている。
【００１６】
陳列室６には、商品が陳列される複数段分の棚１１が配置される。本実施の形態では、棚１１は、６段設置される。
陳列室６の上部前端には、キャノピー１６が配置されている。キャノピー１６は、陳列室６の前面開口の全幅にわたって形成されている。キャノピー１６の内側には、陳列室６の内部を照明する照明灯１７（図２参照）が取付けられている。キャノピー１６の前部には、陳列室６の内部温度を表示するための温度計や操作ボタンが設けられたパネル１８（図１参照）が取り付けられている。
【００１７】
図２に示すように、仕切板４は、断熱壁２の後部および上部に対して間隔を空けて配設されている。仕切板４と断熱壁２との間には、上下方向に延びる背面ダクト２１と、背面ダクト２１の上端から前方に延びる天井ダクト２２とが形成されている。天井ダクト２２の前端は、陳列室６の前面開口の上縁に形成された天井吹出口２２Ａに連通している。
【００１８】
デッキパン５は、断熱壁２の下部に対して間隔を空けて配設されている。デッキパン５と断熱壁２との間には、前後方向に延びる下部ダクト２３が形成されている。下部ダクト２３の後端は、背面ダクト２１の下端に連通している。下部ダクト２３の前端は、陳列室６の前面開口の下縁に形成された下部吸込口２３Ａに連通している。
背面ダクト２１、天井ダクト２２、および、下部ダクト２３により、冷気が通過可能な冷気ダクト２４が構成される。
下部ダクト２３の内部には冷気送給用の主送風機３１が配設されている。また、背面ダクト２１の内部下方には、冷却装置（不図示）を構成する蒸発器３２が配設されている。
【００１９】
ショーケース１では、冷却装置（不図示）が運転されることにより、冷気ダクト２４内で、空気が蒸発器３２と熱交換され冷却可能に構成されている。また、冷気ダクト２４は、主送風機３１が運転されることにより、陳列室６の空気が下部吸込口２３Ａから吸い込まれると共に、吸い込まれた空気が冷気ダクト２４を移動して、天井吹出口２２Ａから陳列室６内に吐出可能に構成されている。すなわち、ショーケース１では、冷気が、陳列室６と冷気ダクト２４と循環可能に構成されている。
【００２０】
陳列室６に配置される各棚１１は、幅方向一対のブラケット１２と、ブラケット１２に支持される棚板１３と、から構成されている。本実施の形態では、棚板１３の下面に加温用の図示しない電気ヒータが取り付けられている。ただし、ショーケース１が低温領域と常温領域とに区分けして使用できるタイプのものであれば、加温用の電気ヒータは取り付け不要である。
各ブラケット１２の後端には、フック部１２Ａが形成されている。フック部１２Ａは、上下方向に所定の間隔を空けて複数形成されている。なお、図２では、最上端の棚１１のみフック部１２Ａを図示している。
【００２１】
棚１１は、本体３に支持される。本体３は支柱１４を備える。支柱１４は、陳列室６内の幅方向に一対配置されており、仕切板４の幅方向両側に配置されている。支柱１４は、上下方向に延びている。支柱１４の前面には、棚１１を設置可能な高さ毎に応じて複数段の係合孔１５が形成されている。係合孔１５には、ブラケット１２のフック部１２Ａが着脱可能に係合される。これにより、棚１１は、陳列室６での高さを変更可能に支柱１４に支持される。
【００２２】
図３は、図１の要部拡大図である。図４は、図２の要部拡大図である。
本実施の形態では、６段の棚１１のうち、下方の４段の棚１１は、棚ダクト部材４１が装着可能に構成されている。下方の４段の棚１１のブラケット１２には、保持レール４５が設けられている。保持レール４５は、各ブラケット１２の幅方向内側に設けられている。保持レール４５は前後方向に延びる断面Ｌ字状に形成されている。
【００２３】
棚ダクト部材４１は、中空の矩形体により構成されている。棚ダクト部材４１の中空部分により、冷気を棚１１に沿って案内し棚１１の前端（先端）側に導出する棚ダクト４２（図２、図４参照）が形成される。棚ダクト部材４１は、棚板１３よりも前後方向に長く形成されている。棚ダクト部材４１の下面前端部には、下向きに開口し幅方向に延在する棚ダクト吐出口４１Ａが形成されている。棚ダクト部材４１の後端には、後方に開口する連通部４１Ｂが形成されている。連通部４１Ｂは棚ダクト部材４１よりも幅狭に形成されており、棚ダクト部材４１の幅方向中央部に形成されている。
【００２４】
棚ダクト部材４１には、庇状のダンパー部材４３が設けられている。ダンパー部材４３は、棚ダクト４２の内部に配置され連通部４１Ｂから後方に突出した状態で棚ダクト部材４１に固定されている。ダンパー部材４３の後端には、シール部材４３Ａが支持されている。棚ダクト部材４１の幅方向両側には、棚１１の保持レール４５に係合するレール係合部４４が設けられている。
【００２５】
棚ダクト部材４１は、レール係合部４４を前方から保持レール４５を挿入するようにして装着される。レール係合部４４が保持レール４５に挿入された場合には、棚ダクト部材４１は、保持レール４５に保持されて、棚板１３の下側に位置し、一対のブラケット１２の間に位置する。
【００２６】
棚ダクト部材４１が保持レール４５に保持された状態において、棚ダクト部材４１は、後方のダンパー部材４３が仕切板４の開閉部材５２から離間した状態の保持位置と、保持位置よりも後方に移動して、ダンパー部材４３が、仕切板４に設けられた吹出口５１を通じて背面ダクト２１の内部に挿入され、且つ、シール部材４３Ａを介して背面ダクト２１内の当接部材３３に当接する装着位置と、の間をスライド移動可能に構成されている。装着位置では、ダンパー部材４３は、棚板１３の前端よりも前方まで延在し、且つ、棚板１３の後端よりも後方まで延在している。
【００２７】
棚ダクト部材４１は、前方に抜き出すことにより棚１１から取り外すことが可能に構成されている。
すなわち、棚ダクト部材４１は、ブラケット１２の保持レール４５に対して挿抜可能に取り付けられおり、ダンパー部材４３が吹出口５１に出し入れされる方向にスライド可能に取り付けられている。
【００２８】
ダンパー部材４３が当接される当接部材３３は、蒸発器３２の上方に配置されている。当接部材３３は、上端が背面ダクト２１の上下方向略中央部まで延在しており、上下端は閉塞されている。当接部材３３は蒸発器３２の上面に対して所定の間隔を空けて設けられる。また、当接部材３３は、前面が仕切板４との間に所定の間隔を空けて設けられる。よって、仕切板４と当接部材３３との間を、蒸発器３２で熱交換して冷却された冷気が通過可能に構成されている。
【００２９】
低温領域と常温領域とに区分けして使用できるショーケース１の場合は、背面ダクト２１において、当接部材３３の上方には、送風装置３４が配置されている。送風装置３４は、第１の送風機３５と、第１の送風機３５よりも上方に設けられた第２の送風機３６とを有する。第１の送風機３５、第２の送風機３６を適宜駆動することにより、背面ダクト２１の空気を循環させることができる。
【００３０】
仕切板４の下部には、四角孔状の開口４Ａが形成されている。開口４Ａは、当接部材３３の前方に形成されている（図２参照）。開口４Ａは、上下方向に配設された複数の開閉部材５２で閉塞される。
【００３１】
開閉部材５２は、幅方向に延びる。図４に示すように、開閉部材５２は、仕切板４に沿って延びる本体部５２Ａと、本体部５２Ａの上端から後方に傾斜する傾斜部５２Ｂと、本体部５２Ａの下端から後方に延びて下方に屈曲する延出部５２Ｃとを備える。傾斜部５２Ｂの幅方向両側には、幅方向に延びる回動中心を有するヒンジ部５２Ｄが形成されている。ヒンジ部５２Ｄは仕切板４に回動可能に支持される。
【００３２】
開閉部材５２は、延出部５２Ｃにより自重で本体部５２Ａが仕切板４に沿った状態に移動可能であり、開口４Ａの一部を閉塞可能である。一方で、開閉部材５２は本体部５２Ａが後方に押されると、ヒンジ部５２Ｄを中心に回動して、開口４Ａの一部を開放する開放位置に移動する。
【００３３】
上下に並んだ開閉部材５２において、上方の開閉部材５２の延出部５２Ｃよりも前方に、下方の開閉部材５２のヒンジ部５２Ｄが配置されている。上方の開閉部材５２の延出部５２Ｃに対して、下方の開閉部材５２の傾斜部５２Ｂが正面視で重複し、上下に並んだ開閉部材５２は正面視で隙間なく配置されている。同様にして、開口４Ａの全体に渡って上下に並ぶ開閉部材５２が正面視で重複して配置されることにより、開口４Ａが閉塞されている。
【００３４】
そして、いずれかの開閉部材５２が開放位置に回動すると、背面ダクト２１から陳列室６側に冷気が吹き出し可能な長方形の吹出口５１が形成される。すなわち、本実施の形態では、吹出口５１は、仕切板４の開口４Ａの内縁と開閉部材５２の外縁とで囲まれた長方形の開口により構成される。吹出口５１は、開閉部材５２毎に構成され、上下方向に隣接して複数形成されている。
【００３５】
図５は、棚１１のブラケット１２と支柱１４の係合部分を下方から見た要部斜視図である。
図１、図３、図５に示すように、吹出口５１の幅方向両側、すなわち、開閉部材５２の幅方向両側には、吹出口５１の位置を示す本体側マーク５３が形成されている。本体側マーク５３は、吹出口５１毎に設けられている。本実施の形態では、本体側マーク５３は、開閉部材５２毎に設けられており、２段の係合孔１５毎に上下方向に形成されている。本体側マーク５３は、仕切板４の前面に形成されており、支柱１４に対向する位置に形成されている。本体側マーク５３は三角形状に凹んでおり、頂部が支柱１４側に向いている。
【００３６】
なお、本体側マーク５３としては、凹形状ではなく、凸形状でも良い。また、本体側マーク５３は、冷気漏れの影響が無ければ仕切板４に形成された孔などでも良い。また、本体側マーク５３の形状としては、三角形状ではなく、例えば、菱形形状や丸形状、あるいは線形状でも良く、作業者が、吹出口５１の高さ方向の位置を認識でき、吹出口５１の高さに対応する係合孔１５の位置が特定できれば任意の形状で良い。
【００３７】
また、本体側マーク５３は、支柱１４に対向する位置の仕切板４に形成されているが、支柱１４に本体側マーク５３が設けられても良い。また、ショーケース１の本体３の図示しない側板に形成されても良い。すなわち、棚１１のブラケット１２が係合する部分に対向する位置に、本体側マーク５３が設けられれば良い。
【００３８】
図２、図４、図５に示すように、棚１１のブラケット１２には、本体側マーク５３と対をなす棚側マーク５４が形成されている。棚側マーク５４は、ブラケット１２の側面に厚み方向に貫通する三角形状の貫通孔により形成されている。棚側マーク５４は、本体側マーク５３に対応させた状態で棚ダクト部材４１を吹出口５１に一致させる。つまり、ブラケット１２が、棚側マーク５４の頂部が本体側マーク５３の頂部に対向した状態で支柱１４に支持されている場合、そのブラケット１２に支持される棚ダクト部材４１の連通部４１Ｂの高さは、吹出口５１の高さに一致するように構成されている。
【００３９】
次に、本実施の形態のショーケース１の作用を説明する。
棚ダクト部材４１が棚１１に装着されていない場合において、冷却装置（不図示）が運転された状態で、主送風機３１が運転されると、下部吸込口２３Ａから下部ダクト２３に吸い込まれた空気は蒸発器３２を通過して冷却される。冷却された空気、すなわち、冷気は、背面ダクト２１内を上昇した後、天井ダクト２２を通って、天井ダクト２２の前端の天井吹出口２２Ａから下方の陳列室６内に吐出される。天井吹出口２２Ａから吐出された冷気は、陳列室６の前面開口にエアーカーテンを形成し、陳列室６の下部吸込口２３Ａから吸い込まれ、冷気ダクト２４を再送される。このようにして、冷気が、陳列室６および冷気ダクト２４を循環し、陳列室６内全体が冷却される。
【００４０】
棚ダクト部材４１が棚１１に装着されている場合には、ダンパー部材４３が背面ダクト２１を閉塞している。この場合に、冷却装置（不図示）が運転された状態で、主送風機３１が運転されると、下部ダクト２３に吸い込まれた空気は、蒸発器３２を通過して冷却され、背面ダクト２１における当接部材３３と仕切板４との間を上昇する。当接部材３３と仕切板４との間を上昇する冷気は、ダンパー部材４３によって、上方への上昇が阻止され、吹出口５１を通じて棚ダクト４２内に流入する。棚ダクト４２内に流入した冷気は、棚ダクト吐出口４１Ａより、陳列室６の下部吸込口２３Ａに向けて吹き出される。
【００４１】
よって、棚ダクト部材４１が設けられた棚１１より下側の陳列室６において、下側の陳列室６の前面開口部分に、冷気によるエアーカーテンが形成される。そして、冷気は、下部吸込口２３Ａから下部ダクト２３に吸い込まれ冷気ダクト２４を再送される。このようにして、冷気は、棚ダクト部材４１よりも下方において、陳列室６、下部ダクト２３、背面ダクト２１、および、棚ダクト４２を循環し、下方の陳列室６内全体が冷却され、低温領域とされる。
【００４２】
一方、棚ダクト部材４１よりも上方の陳列室６では冷気が循環されず冷却されない。よって、上方の陳列室６では、下方の陳列室６よりも高温の高温領域となる。このとき、例えば、図示しない電気ヒータを加熱することにより、さらに高温とされる。また、上方の陳列室６では、上方の陳列室６の温度やショーケース１の周囲の温度に基づいて送風装置３４を運転させることにより、背面ダクト２１の上部および天井ダクト２２を通じて空気を循環させることができる。これにより、上方の陳列室６内の温度が高くなり過ぎることや、低くなり過ぎることが抑制される。
【００４３】
本実施の形態のショーケース１では、棚ダクト部材４１が設けられた棚１１の高さや、棚ダクト部材４１を取り付ける高さの棚１１は変更可能である。よって、作業者は、商品の入れ替えなどに応じて、棚ダクト部材４１を設置する高さを変更して、陳列室６内の低温領域と高温領域を区画する高さの設定を変更することができる。
【００４４】
棚ダクト部材４１が設けられた棚１１の高さを変更する場合には、作業者は、棚１１を支柱１４から取り外した後、棚１１のブラケット１２のフック部１２Ａを、棚側マーク５４が本体側マーク５３に対向するようにして、係合孔１５に係合させる。そして、作業者は、このブラケット１２の保持レール４５に棚ダクト部材４１を前方から装着する。
【００４５】
このとき、棚側マーク５４が本体側マーク５３に対向する棚１１は、吹出口５１に対応する高さに支持されている。このブラケット１２の保持レール４５に、棚ダクト部材４１を装着すると、棚ダクト部材４１の後方へのスライド移動に伴い、ダンパー部材４３が開閉部材５２の本体部５２Ａを後方に押し開閉部材５２を開放位置に回動させる。そして、ダンパー部材４３は、吹出口５１を通じて背面ダクト２１に挿入され、当接部材３３に当接する。よって、ダンパー部材４３を介して棚ダクト部材４１の棚ダクト４２と吹出口５１を連通させることができる。よって、陳列室６内の低温領域と高温領域を区画する高さの設定を変更することができる。
【００４６】
なお、本実施の形態では、ブラケット１２に設けられた棚側マーク５４が本体側マーク５３に対応しない状態で、ブラケット１２が支持された場合には、そのブラケット１２に支持される棚ダクト部材４１の連通部４１Ｂの高さは、吹出口５１の高さに一致しない。このため、棚ダクト部材４１のダンパー部材４３を後方に移動させても、開閉部材５２の本体部５２Ａは押されずに、本体部５２Ａからずれた部分が押される。よって、開閉部材５２が開放位置に回動せず、棚ダクト部材４１の棚ダクト４２と吹出口５１とを接続できない。
【００４７】
また、本実施の形態では、全ての吹出口５１に応じて支柱１４側の本体側マーク５３が形成されており、吹出口５１が複数あっても、全ての吹出口５１に棚ダクト部材４１を合わせ易くできる。
【００４８】
棚ダクト部材４１の高さのみを変更する場合には、ブラケット１２の棚側マーク５４と本体側マーク５３が一致している棚１１に棚ダクト部材４１を装着することにより、ダンパー部材４３が背面ダクト２１に挿入される。
ここで、本体側マーク５３と棚側マーク５４とが設けられていない従来の構成では、棚１１は吹出口５１の前方に配置されているため、作業者は、吹出口５１の位置を確認しづらい。したがって、棚ダクト部材４１を装着して初めて、棚１１が吹出口５１の高さからずれていることが判明する場合もある。
あるいは、本体側マークと棚側マークを紙やプラスチックフィルムなどに印刷して接着部で貼り付ける（所謂シールを貼る）ことによって誤装着を防止することもあったが、その場合、経年劣化や接触などによるシールの剥がれが生じてしまい、マークの消失やズレによって、作業者に混乱を生じさせてしまう場合もある。
これに対して、本体側マーク５３と棚側マーク５４とが設けられている本実施の形態では、作業者が、棚１１が設置された状態で本体側マーク５３と棚側マーク５４とが対応しているか否か確認することにより、棚１１が吹出口の高さに対応しているか判断可能であり、作業効率が上がっている。
【００４９】
以上説明したように、本実施の形態のショーケース１は、陳列室６が設けられた本体３と、本体３に高さを変更可能に支持される棚１１と、を備える。また、ショーケース１は、冷気が流れる冷気ダクト２４と陳列室６とを仕切る仕切板４と、仕切板４に設けられ冷気ダクト２４の冷気を陳列室６内に吹き出させる吹出口５１と、棚１１に設けられ吹出口５１から吹き出した冷気を棚１１に沿って案内可能な棚ダクト部材４１と、を備える。
そして、本体３には、棚１１に対向可能な位置に、吹出口５１の位置を示す本体側マーク５３が設けられ、棚１１には、本体側マーク５３に対応させた状態で、棚ダクト部材４１を吹出口５１に一致させる棚側マーク５４が設けられている。
【００５０】
これにより、棚１１が支持される本体３に吹出口５１の位置を示す本体側マーク５３が設けられているため、棚１１の設置作業時に本体側マーク５３が認識され易いうえに、その本体側マーク５３に棚側マーク５４を対応させることで棚ダクト部材４１を吹出口５１に一致させることができる。この結果、棚ダクト部材４１を支持させるブラケット１２のフック部１２Ａが、吹出口５１に対応しない誤った係合孔１５に係合することが抑制可能であり、ブラケット１２の設置作業を繰り返すことが抑制可能である。よって、棚ダクト部材４１を吹出口５１の高さに対応させる作業を容易にすることができる。
【００５１】
本実施の形態のショーケース１は、仕切板４に形成された開口４Ａと、開口４Ａの幅方向に延在し開口４Ａを開閉可能な複数の開閉部材５２と、を備える。複数の開閉部材５２は、開口４Ａの高さ方向に並んで配置される。そして、吹出口５１は、一の開閉部材５２が開口４Ａの一部を開放することにより形成され、本体側マーク５３は、開閉部材５２が形成する吹出口５１毎に設けられている。
したがって、吹出口５１が複数ある場合においても、全ての吹出口５１に棚ダクト部材４１を対応させ易くできる。特に、吹出口５１が隣接して複数設けられている場合に、好適である。
【００５２】
また、本実施の形態のショーケース１は、棚ダクト部材４１は、吹出口５１に挿入され冷気ダクト２４の背面ダクト２１を閉塞するダンパー部材４３を備える。
したがって、ダンパー部材４３を介して棚ダクト部材４１と吹出口５１とを接続することができる。
【００５３】
また、本実施の形態のショーケース１では、棚ダクト部材４１は、ダンパー部材４３が吹出口５１に出し入れされる方向に、棚１１に対してスライド可能に支持される。
したがって、棚ダクト部材４１をスライドさせるという簡易な作業で、ダンパー部材４３を吹出口５１に挿入し、ダンパー部材４３介して棚ダクト部材４１と吹出口５１とを接続することができる。
【００５４】
なお、本発明は、前記実施形態に記載のものに限定されるものではなく、本発明の趣旨を逸脱しない範囲で種々変更および応用が可能である。
例えば、ダンパー部材４３は棚ダクト部材４１に固定された構成を説明したが、ダンパー部材４３は棚ダクト部材４１に対して、吹出口５１に挿抜可能な方向にスライド可能に支持される構成でも良い。
また、ダンパー部材４３は、棚１１に着脱可能に設けられた構成を説明したが、仕切板４に設けられた構成でも良い。
【産業上の利用可能性】
【００５５】
以上のように、本発明に係るショーケースは、棚ダクト部材により冷気の循環する領域を画定し、陳列室内を低温領域と高温領域とに区分けして使用できるショーケースにおいて、棚を、吹出口の高さに対応させて設置することにより、棚ダクト部材の高さを吹出口の高さに合わせるショーケースに好適に利用可能である。
【符号の説明】
【００５６】
１  ショーケース
３  本体
４  仕切板
４Ａ  開口
６  陳列室
１１  棚
２４  冷気ダクト
４１  棚ダクト部材
４３  ダンパー部材
５１  吹出口
５２  開閉部材
５３  本体側マーク
５４  棚側マーク
【図１】
2020124294.tif 000003
【図２】
2020124294.tif 000004
【図３】
2020124294.tif 000005
【図４】
2020124294.tif 000006
【図５】
2020124294.tif 000007